(57)【要約】【課題】風切音を従来よりも効果的に防止するとともにコストの低い風切音防止部材、およびこれを固定したルーバー。【解決手段】所要長さの円柱状体の一側に、ルーバー片１……の縁部に嵌合する嵌合溝３……をその長手方向に沿って掘削形成し、断面欠円形の外周面を気流案内面２’……としてなる風切音防止部材。ルーバー片１……に、上記風切音防止部材を、上記嵌合溝３……を上記ルーバー片１……の建物側の縁部に嵌合させ固定手段により固定してなるルーバー。  【選択図】  図１
2007023638.tif 000002
【特許請求の範囲】
【請求項１】
所要長さの円柱状体の一側に、ルーバー片の縁部に嵌合する嵌合溝をその長手方向に沿って掘削形成し、断面欠円形の外周面を気流案内面としてなることを特徴とする風切音防止部材。
【請求項２】
所要長さの断面楕円形の柱状体の一側に、ルーバー片の縁部に嵌合する嵌合溝をその長手方向に沿って掘削形成し、断面ほぼ楕円形の外周面を気流案内面としてなることを特徴とする風切音防止部材。
【請求項３】
複数の突出部を連続させた曲面状の外周面を有する所要長さの柱状体の一側に、ルーバー片の縁部に嵌合する嵌合溝を掘削形成し、その嵌合溝の部分を切欠した上記外周面を気流案内面としてなることを特徴とする風切音防止部材。
【請求項４】
上記柱状体の外周面が断面変形十字形であることを特徴とする請求項３記載の風切音防止部材。
【請求項５】
上記嵌合溝が凹形状であることを特徴とする請求項１，２，３または４記載の風切音防止部材。
【請求項６】
ルーバー片に、請求項１，２，３，４または５記載の風切音防止部材を、上記嵌合溝を上記ルーバー片の建物側の縁部に嵌合させ固定手段により固定してなることを特徴とするルーバー。
【請求項７】
上記固定手段が接着剤であることを特徴とする請求項６記載のルーバー。
【請求項８】
上記固定手段がビスであることを特徴とする請求項６記載のルーバー。
【発明の詳細な説明】
【技術分野】
【０００１】
本発明は、建物の屋上，屋外階段，バルコニー等の手摺として、あるいは、各種設備機器等の目隠し用の囲いとして設置されるルーバーに関する。
【背景技術】
【０００２】
屋上の手摺や各種設備機器等の目隠しとして建物に広く設置されているルーバーＡは、図６に示したように、多数の棒状のルーバー片１００……を一定間隔おきに平行に並べた状態にしてフレームに固定してなるものであるが、その各ルーバー片１００……は、強風時には極めて純音性の高い、高周波成分を持つ風切音を発生する。人間の聴覚感度はその周波数近辺で優れているので、発生する風切音は耳障りな騒音として知覚される。
そこで従来より、この風切音を低減するために、種々の工夫がなされている。
【０００３】
たとえば、図７に示した特開２００１−１７３３２６号公報（特許文献１）のルーバーＢのルーバー片１０１……は、その建物外方に面し風上側となる前縁に、左右両側に突出させた前縁板１０２……を設けたもので、その前縁板１０２……により、当該前縁を廻り込んで隣接するルーバー片との間に流れ込む強い流れを防止して、風切音を防止するものである。
【特許文献１】特開２００１−１７３３２６号公報
【発明の開示】
【発明が解決しようとする課題】
【０００４】
しかし、上記ルーバーＢの風切音低減効果は最大でも３５ｄＢ程度でしかなく、依然として改善の余地が残っていた。
また、同文献の前縁板１０２……を、ルーバー片１０１……と一体に成形しようとすれば、特殊な金型を用意せねばならずその製作コストが嵩むし、また、その前縁板１０２……はルーバー片１０１……の建物の外方に面する側に設ける必要があるから、ルーバー設置後にこれを別途取り付けようとすれば、建物の外側に作業用の足場を架設して行う大がかりな作業が必要となり作業コストが高くなってしまう。
【０００５】
そこで、本発明は、風切音を従来よりも効果的に防止するとともにコストの低い風切音防止部材およびこれを固定したルーバーを提供することを課題とする。
【課題を解決するための手段】
【０００６】
請求項１記載の本発明風切音防止部材は、所要長さの円柱状体の一側に、ルーバー片１……の縁部に嵌合する嵌合溝３……をその長手方向に沿って掘削形成し、断面欠円形の外周面を気流案内面２’……としてなる。
【０００７】
請求項２記載の本発明風切音防止部材は、所要長さの断面楕円形の柱状体の一側に、ルーバー片１……の縁部に嵌合する嵌合溝３……をその長手方向に沿って掘削形成し、断面ほぼ楕円形の外周面を気流案内面２’……としてなる。
【０００８】
請求項３記載の本発明風切音防止部材は、複数の突出部４，４’を連続させた曲面状の外周面を有する所要長さの柱状体の一側に、ルーバー片１……の縁部に嵌合する嵌合溝３……を掘削形成し、その嵌合溝３……の部分を切欠した上記外周面を気流案内面２’……としてなる。
【０００９】
請求項４記載の本発明風切音防止部材は、上記柱状体の外周面が断面変形十字形である請求項３記載の風切音防止部材である。
【００１０】
請求項５記載の本発明は、上記嵌合溝３……が凹形状である請求項１，２，３または４記載の風切音防止部材である。
【００１１】
請求項６記載の本発明ルーバーは、ルーバー片１……に、請求項１，２，３，４または５記載の風切音防止部材を、上記嵌合溝３……を上記ルーバー片１……の建物側の縁部に嵌合させ固定手段により固定してなる。
【００１２】
請求項７記載の本発明は、上記固定手段が接着剤である請求項６記載のルーバーである。
【００１３】
請求項８記載の本発明は、上記固定手段がビスである請求項６記載のルーバーである。
【発明の効果】
【００１４】
本発明風切音防止部材は、嵌合溝３……を、ルーバー片の一側縁部に嵌合させて簡単に固定できるので、低コストで風切音を従来よりも効果的に防止することができる。
【００１５】
本発明ルーバーは、ルーバー片１……に、上記風切音防止部材を、上記嵌合溝３……を上記ルーバー片１……の建物側の縁部に嵌合させて固定してなるので、建物側から工事用足場等の架設を必要とせずに容易に、工事コストを節減して短時間で風切音対策を行える。
【発明を実施するための最良の形態】
【００１６】
所要長さの円柱状体の一側に、ルーバー片１……の縁部に嵌合する嵌合溝３……をその長手方向に沿って掘削形成し、断面欠円形の外周面を気流案内面２’……としてなる風切音防止部材。
【００１７】
ルーバー片１……に、上記風切音防止部材を、上記嵌合溝３……を上記ルーバー片１……の建物側の縁部に嵌合させ固定手段により固定してなるルーバー。
【実施例】
【００１８】
図１は、本実施例のルーバーＣの水平横断面を示したもので、１……は横断面が細長長方形状をなす所要長さの角柱状のルーバー片である。
その各ルーバー片１……の幅Ｌは５０ｍｍ、厚さｔは５ｍｍで、厚さ方向に間隔Ｔ（＝４０ｍｍ）を空け、互いに平行にして図示しないフレームに固定されている。
【００１９】
２……は、上記ルーバー片１……の一側縁部に固定された風切音防止部材である。
この風切音防止部材２……は、直径１２．５ｍｍの中実のゴム製円柱状体の一側に、上記ルーバー材の縁部に嵌合する幅５ｍｍ、深さ８ｍｍの断面凹形の嵌合溝３……をその長手方向に沿って掘削形成し、その嵌合溝３……の部分を切欠した断面欠円形の外周面を気流案内面２’としたものである。
【００２０】
この風切音防止部材２……は、ゴムに限らずあらゆる材質で製作することができ、たとえば、金属，ガラス繊維強化プラスチック（ＦＲＰ），シリコン等樹脂系材料等により製作してもよい。
また、中実のものとせず、上記と同様の断面円形の気流案内面２’および断面凹形の嵌合溝３……をもつものであれば中空のものであってもよい。中空に製作することにより、軽量化を図れる。
【００２１】
この風切音防止部材２……は、上記ルーバー片１……と同じ所要の長さにしてあり、当該ルーバー片１……の上記一側縁部を全長にわたって覆う状態にして上記嵌合溝３……を上記ルーバー片１……の縁部に嵌合させ、かつ、気流案内面２’を外方に向けて、固定手段たる接着材により上記ルーバー片１……に固定されている。
その固定手段としては、接着材に代えビス等を用いてもよいし、また、溶接により固定してもよい。
【００２２】
上記ルーバー片１……と風切音防止部材２……の寸法は、風切音防止部材２……の嵌合溝３……とルーバー片１……の上記一側縁部との寸法を一致させ、互いが嵌合するようにさえしておけばよいもので、ルーバー片１……の幅Ｌ，厚さｔ、風切音防止部材２……の径等は適宜変更可能である。また、互いに隣りあうルーバー片１……間の間隔も適宜変更可能である。
【００２３】
上記風切音防止部材２……は、断面長方形以外の他の各種形状、たとえば平行四辺形や菱形等の断面形状をなすルーバー片１……に固定することもできる。その場合、風切音防止部材の嵌合溝３……の形状は、当該ルーバー片の縁部の形状に嵌合する適宜の形状にしておく。
【００２４】
さらに、風切音防止部材２……の気流案内面２’……の形状も、断面欠円形に限らず、他の各種形状のものとすることができる。
たとえば、図５（ａ）に示した風切音防止部材２ａのように断面楕円形の柱状体の長径方向一側に当該柱状体の長手方向に沿って嵌合溝３を掘削形成することにより、その嵌合溝３の部分を切欠した断面ほぼ楕円形の気流案内面２’とすることができる。
また、複数の突出部を連続させた、より複雑な曲面状にしてもよい。たとえば、図５（ｂ）の風切音防止部材２ｂのように、四方に向けた４つの突出部４……を当該柱状体の長手方向に沿って連続させ外周を曲面状にした変形十字形の柱状体の、一側の上記突出部４……に嵌合溝３……を掘削形成することにより、その嵌合溝３……の部分を切欠した断面ほぼ十字形の気流案内面２’、あるいは、図５（ｃ）の風切音防止部材２ｃのように、多数の突出部４’……を曲面状に連続させた断面雲形状の柱状体の一側にその長手方向に沿って嵌合溝３を形成し、その嵌合溝３……の部分を切欠した断面雲形状の気流案内面２’としてもよい。
なお、上記の突出部４……，４’……は、高周波数音の発生を防止するために、鋭角のエッジとならないようにし、好ましくは曲面状とする。
【００２５】
本実施例の風切音防止部材２……を固定したルーバー片１……を有するルーバー（図１）と、風切音防止部材２……を取り付けていない同一寸法形状のルーバー片を備えた従来のルーバーＡ（図６）とについて、風向，風速の条件を適宜変えながら送風したときに生じる風切音の音圧レベルを計測し、風切音防止部材２……の風切音防止効果について、以下のような検証実験を行った。
【００２６】
なお、本実施例のルーバーＣについては、風切音防止部材２……を取り付けた上記一側の反対側（図１では左側）から送風を行った。すなわち、ルーバー片１……の風下となる側に風切音防止部材２……を固定した。また、送風方向αは、ルーバー片１……の幅方向に平行な基準線から測った角度で示してある。
【００２７】
図２は、上記ルーバーＣおよびＡについて、風向α＝２０°，風速１１．８ｍ／ｓで送風を行ったときの測定結果を示したものである。
【００２８】
この測定結果からわかるように、エッジ状の後縁が露出している従来のルーバーＡは、その後縁部で気流が剥離して生じる後流渦（カルマン渦）に起因する極めて純音性の高い高周波数成分（約３０００Hz）のピークを持つ風切音が発生した（図２）。このピーク周波数近辺においては人間の聴覚の感度が高いので特に耳障りな騒音として感知される。
これに対して、各ルーバー片１……に風切音防止部材２……を取り付けたルーバーＣは、その周囲の空気を気流案内面２’……に沿うよう案内して上記の後流渦を乱すことで、ルーバーＡで生じていた風切音を、そのピーク周波数において約６０ｄB低減し、静穏な環境を実現することができた（図２）。
【００２９】
図３は、風向αを変化させながら風速１５．７ｍ／ｓで送風を行ったときの測定結果を示したものである。
この測定結果からわかるように、ルーバーＡでは、α＝２０°付近で約８０ｄＢの風切音が発生しているのに対し、ルーバーＣでは、その風切音を約６０ｄB低減した。
【００３０】
図４は、風向αを２０°で固定し風速を変化させたときの測定結果を示したものである。
この測定結果からわかるように、ルーバーＡでは風速が１５ｍ／ｓを越えると約９５ｄＢ風切音が発生しているのに対し、ルーバーＣでは、その風切音を約６５ｄＢ低減した。
【００３１】
このように、本実施例の風切音防止部材２……を固定したルーバー片１……を備えたルーバーＣは、人間の聴覚感度の優れた周波数帯域の、耳障りな騒音として感知される風切音を効果的に防止し静穏な環境を提供できる。
【００３２】
なお、上記では、風切音防止部材２……をルーバー片１……の風下となる側に固定したが、風上となる側に固定しても同様の風切音防止効果を発揮する。
【００３３】
また、その風切音防止部材２……は、ルーバー構造物の新設・既設に拘わらず簡単に取り付けできるものであり、特に、上記のとおり風上側，風下側のいずれに取り付けてもその効果を発揮するので以下のような利点がある。
すなわち、建物屋上のパラペットやバルコニーに既に設置されたルーバーについて風切音対策を施す場合には、そのルーバー片の建物側の縁部に風切音防止部材２……を取り付ければよいから、その作業は、建物側から工事用足場等の架設を必要とせずに容易に、嵌合溝３……をルーバー片の建物側の縁部に嵌合させ所要の固定手段で固定するだけで、従来よりも工事コストを節減して短時間で行える。
そのコストは、前縁板１０２……をルーバー片１０１……と一体にしたルーバーを特殊な金型により成形する場合に比べると、約１／１０程度に抑えられる。
【図面の簡単な説明】
【００３４】
【図１】本発明の実施例に係る風切音防止部材を取り付けたルーバーの水平横断面図である。
【図２】上記ルーバーの風切音防止効果の検証実験の結果を示したグラフである。
【図３】同上。
【図４】同上。
【図５】(a)〜(c)は、他の断面形状の風切音防止部材の例を示した水平横断面図である。
【図６】従来のルーバーの水平横断面図である。
【図７】従来の風切音防止対策を施したルーバーの水平横断面図である。
【符号の説明】
【００３５】
Ａ 従来のルーバー
Ｂ    従来の風切音対策を施したルーバー
Ｃ    本実施例のルーバー
１    ルーバー片
２，２ａ，２ｂ，２ｃ    風切音防止部材
３    嵌合溝
４，４’    突出部    
【図１】
2007023638.tif 000003
【図２】
2007023638.tif 000004
【図３】
2007023638.tif 000005
【図４】
2007023638.tif 000006
【図５】
2007023638.tif 000007
【図６】
2007023638.tif 000008
【図７】
2007023638.tif 000009